(57)【要約】      （修正有）【課題】長期間に渡ってネコを単独で飽きさせないで遊ばせておくことができるとともに、そのネコの飼い主をも楽しませるネコ用玩具を提供する。【解決方法】ネコ用玩具の口を模した部分に空間を作ることにより、猫が単独にて持ち運びがしやすくなり自由自在に扱うことが出来るために、飽きずに自分の好きな姿勢で遊び続ける事が出来る。また、猫の顔かたちを模した玩具である事で、色や模様を変えることによっていろいろな猫を作成する事が出来る為、愛猫に似た品物を選ぶという飼い主自身の楽しみも増える。【選択図】図１
0003145574.tif 000002
【実用新案登録請求の範囲】
【請求項１】
柔らかい布素材（フェルト）で作成されており、爪に引っ掛かりやすく、猫が簡単に単独にて保持し遊ぶことが出来る猫用玩具。
【請求項２】
表面は柔らかい素材の布に刺繍糸によってステッチが施されており、猫が自ら爪をかけて保持しやすく、猫が単独で持ち運び舐めたり引掻いたりして遊ぶ事が出来る猫用玩具。
【請求項３】
形状は猫の顔かたちを模しており、その口の部分には空間を開けて、猫が遊ぶ際に前足を入れてしっかりと保持する事が可能で、単独で自分の好む姿勢や場所で長時間遊ぶ事が可能となる形を特徴とする猫用玩具。
【請求項４】
口として開けられた空間の部分には、直径８ミリの鈴が縫い付けられており動かすごとに聴覚を刺激し、猫の戯れ性をそそる。更に本体内部には猫が好む香草（キャットニップ）を含んだ綿が詰められており嗅覚からの刺激もあり、猫の興味を長期間にわたり持続的にひく猫用玩具。
【請求項５】
内部に含まれる香草は、香りを嗅ぐことにより猫のストレス軽減などにもなる為、昨今室内のみにて飼われる事が多くなった猫にとって良い効果が考えられる猫用玩具。
【請求項６】
猫の顔かたちを模した形状をしているため、色や模様を変えることにより我が家の猫似のオリジナル玩具を作成する事が可能で、飼い主も視覚で楽しむことが出来る猫用玩具。
【考案の詳細な説明】
【技術分野】
【０００１】本考案は、動物用玩具に関し、詳細には、猫が自分自身で遊び戯れて、楽しむ動物用玩具に関する。本考案は、猫用玩具に関する。
【背景技術】
【０００２】動物、例えば、犬や猫、あるいは、その他のペットは、人間を相手に戯れ楽しむことで、人間とのコミュニケーションをとろうとするが、また、人が相手をしなくても自分自身でもよく遊ぶ。特に、犬や猫等の動物は、子供の時期には、よく遊ぶため、人間が常に相手をして遊ぶことが出来ない場合には、動物自身で遊ばせることは動物自身の精神の安定、成長にも必要であり、動物と上手に付き合っていくうえでも重要な事柄である。【０００３】そこで従来から猫用の玩具として市販されている商品がある。例えば、短い釣竿状の棒の先に付けられた紐に羽状の玩具を取り付けたものや、棒の先に細いリボン状のものが幾本も取り付けられた玩具、小さな魚（５センチ程度）などを模した綿ブロードなどの素材を使用したぬいぐるみ状のものの中にマタタビ粉など猫が喜ぶ香草等を仕込んだ玩具などである。
【考案の開示】
【考案が解決しようとする課題】
【０００４】しかしながら上記のような従来品は、前述の二例については、人間がある程度相手をする必要があったり、三例目については形状が小さく素材も猫の爪には滑り易い素材で作られているなどの為に猫が長期間保持し、遊び続けるには適していない形状であったりしており、動物自ら単独での戯れ性をそそる上で尚改良の必要があった。【０００５】すなわち上記猫用玩具は、いずれも猫自身に単独で遊び続けさせるには、不十分な構成であった。【０００６】また、上記二例の，猫用玩具には、紐や棒を振る行為などある程度人間が相手をしてあげる必要があり、人間が相手をしないと短時間のうちに興味を失って、動物自身で遊ばなくなるという問題があった。【０００７】そこで、請求項１記載の考案は、柔らかい布素材（フェルト）を用いる事により、猫が簡単に爪で引っ掛けて単独にて長い間保持し遊ぶことが出来る動物用玩具を提供することを目的としている。【０００８】請求項２記載の考案は、戯れ対象部分に刺繍糸にてステッチを施すことにより、動物がくわえたり掴んだり等の戯れ行為の際に、より行為がしやすく保持に適した形状に加工が加えられる事により、戯れ行動意欲をより一層増大させて、動物自身での長時間にわたる戯れをより一層誘い、動物自身での遊びを可能とし、動物の運動不足や精神的な欲求不満をより一層軽減する効果が期待できる動物用玩具を提供することを目的としている。【０００９】請求項３記載の考案は、本体は全体の形状として猫の顔かたちを模したものとなっているが、その口の部分にあたる辺りに、猫の前足が入るのに丁度良い大きさの空間を開ける事により、猫が前足だけを使ってしっかりと本体を保持する事が出来るため自分の気に入った姿勢、気に入った場所での長時間の戯れが可能となる。動物自身での遊びを可能とし、動物の運動不足をより一層軽減する効果が期待できる動物用玩具を提供することを目的としている。【００１０】請求項４記載の考案は、前述した口の空間の部分に鈴を取り付けているもので、猫に対し聴覚的に刺激を与え更に戯れへの意欲を期待するものである。更に中綿には猫の好む香草（キャットニップ）も混ぜられており、嗅覚・視覚・聴覚などのいろいろな刺激を猫が楽しみ、長時間飽きさせないことを目的としている。【００１１】請求項５記載の考案は、中綿に混ぜられている香草（キャットニップ）は、猫（特に若い猫）が非常にこの香りを好み喜ぶ為、精神的な安定（食欲が無い時、イライラしている時）に効果があることを目的としている。（一部、香草に全く反応をしない猫も居る）【００１２】請求項５記載の考案は、本体形状が猫の顔かたちを模したものとしている為、使用素材の色、柄などを変えるだけで我が家の猫似のオリジナル玩具を作成する事が可能で、飼い主も視覚で楽しむことが出来ることを目的としている。
【課題を解決するための手段】
【００１３】上記の課題を解決するための請求項１の考案に係る猫用玩具は、柔らかい素材にて作成されており、爪を布地に引っ掛けるだけで猫が簡単に玩具を保持することが出来ることを特徴とする。
請求項２の考案は、請求項１に記載のものにおいて、更に保持がしやすいように表面をステッチにて加工を施して特徴を高めたものとする。
請求項３の考案は、請求項１または２に記載のものにおいて、遊具の形状が特長的なものとなっており、口の部分の空間は猫が前足を入れ易い形となっており、更にしっかりとした保持を可能とする特徴を示している。
請求項４の考案は、請求項１から３のいずれかに記載のものにおいて、口の空間の部分には鈴を付け、中綿には猫の好む香草（キャットニップ）を混ぜており、猫が聴覚・嗅覚からも楽しみ好むものにしているという事を特徴とする。
請求項５の考案は、請求項１から４のいずれかに記載のものにおいて、本体中綿に含まれるキャットニップは、室内のみで飼われている猫のストレスの軽減し気持ちを落ち着かせる効果にもなることを特徴とする。
請求項６の考案は、請求項１から５のいずれかに記載のものにおいて、本体の形状から色や柄を変えることにより様々なバリエーションが生まれ、飼い主にとってもそれが視覚的に楽しめるものであることを特徴とする。
【考案の効果】
【００１４】請求項１記載の考案の猫用玩具によれば、素材に柔らかい布（フェルト）を使用した事により、爪の引っ掛かりが良くなり、猫が簡単に保持する事が可能となり、猫の戯れ対象部材への戯れ行動意欲を増大させることができ、猫自身での長時間にわたる戯れを誘って、動物自身での遊びを可能として、動物の運動不足を軽減する効果が期待できる。【００１５】請求項２記載の考案の猫用玩具によれば、戯れ対象部材を、動物がくわえたり掴んだり等の捕獲行為を更に簡単に可能にするステッチ加工を施したことにより、適した形状に形成された捕獲部分を有するものとしているので、動物の戯れ対象部材への戯れ行動意欲をより一層増大させることができ、動物自身での長時間にわたる戯れをより一層誘って、動物自身での遊びを可能とし、動物の運動不足をより一層軽減する効果が期待できる。【００１６】請求項３記載の考案の猫用玩具によれば、口の部分に空間を開けて、遊ぶ際に猫が手を入れる事によってしっかり保持出来る効果が得られる為、常に動物の戯れ行動誘って、動物自身での遊びを可能とし、動物の運動不足をより一層軽減する効果が期待できる。【００１７】請求項４記載の考案の猫用玩具によれば、空間の部分には鈴が縫い付けられており、動かす度に聴覚を刺激し、更に中綿には猫が喜ぶとされるキャットニップが混ぜられている為、嗅覚を刺激するので、猫は常に刺激を感じ長期にわたり飽きずに遊び続けることが期待出来る。【００１８】請求項６記載の考案の猫用玩具によれば、中に含まれている香草（キャットニップ）は、猫が非常に好む香りとされている為、元気の無いときやイライラした症状の際にも、猫に玩具を与えることにより、症状が軽減されることが考えられる。【００１９】請求項５記載の考案の猫用玩具によれば、猫の顔かたちを模している本体は、色や柄の変更により、オリジナル感が出すことが出来るため、飼い主にとっても楽しみな効果が考えられる。
【考案を実施するための最良の形態】
【００２０】以下、本考案の好適な実施の形態を添付図面に基づいて詳細に説明する。なお、以下に述べる実施の形態は、本考案の好適な実施の形態であるから、技術的に好ましい種々の限定が付されているが、本考案の範囲は、以下の説明において特に本考案を限定する旨の記載がない限り、これらの態様に限られるものではない。【００２１】図１〜図３は、本考案の動物用玩具の一実施の形態を示す図であり、本実施の形態は、猫用の玩具に適用したものである【００２２】図１において、猫用玩具１は、柔軟性のある全体素材１、爪の引っかかり易い糸部２、聴覚的刺激を促す鈴３を備えており、鈴が付いている空間の部分に猫が前足で本体を保持しようとする際、前足を入れる事により保持がしやすい作りとなっている。【００２３】図２に確認出来るように、裏側には刺繍糸でのクロスステッチが施されており、猫が爪を引っ掛けて持ち上げる、または遊ぶ行為を更に助長する作用となっている。
【図面の簡単な説明】
【図１】本考案の猫用玩具の一実施の形態を適用した猫用玩具の正面図。
【図２】本考案の猫用玩具の一実施の形態を適用した猫用玩具の背面図。（ステッチが施されており、保持しやすい。）
【図３】本考案の猫用玩具の一実施の形態を適用した猫用玩具の側面図。
【符号の説明】
【００２４】１  柔軟部材
２  ステッチ部分
３  口の空間
４  八ミリ鈴
【図１】
0003145574.tif 000003
【図２】
0003145574.tif 000004
【図３】
0003145574.tif 000005
【手続補正書】
【提出日】平成20年6月15日(2008.6.15)
【手続補正１】
【補正対象書類名】実用新案登録請求の範囲
【補正対象項目名】請求項１
【補正方法】変更
【補正の内容】
【請求項１】
柔らかい布素材で作成されており、爪に引っ掛かりやすく、猫が簡単に単独にて保持し遊ぶことが出来る猫用玩具。
【手続補正２】
【補正対象書類名】実用新案登録請求の範囲
【補正対象項目名】請求項４
【補正方法】変更
【補正の内容】
【請求項４】
口として開けられた空間の部分には、鈴が縫い付けられており動かすごとに聴覚を激激し猫の戯れ性をそそるようにされており、更に本体内部には猫が好む香草を含んだ綿が詰められており嗅覚からの刺激もあり、猫の興味を長期間にわたり持続的にひくようにしたことを特長とする請求項３に記載の猫用玩具
【手続補正３】
【補正対象書類名】実用新案登録請求の範囲
【補正対象項目名】請求項５
【補正方法】削除
【補正の内容】
【手続補正４】
【補正対象書類名】実用新案登録請求の範囲
【補正対象項目名】請求項６
【補正方法】削除
【補正の内容】
【手続補正５】
【補正対象書類名】明細書
【補正対象項目名】全文
【補正方法】変更
【補正の内容】
【考案の詳細な説明】
【技術分野】
【０００１】本考案は、動物用玩具に関し、詳細には、猫が自分自身で遊び戯れて、楽しむ動物用玩具に関する。本考案は、猫用玩具に関する。
【背景技術】
【０００２】動物、例えば、犬や猫、あるいは、その他のペットは、人間を相手に戯れ楽しむことで、人間とのコミュニケーションをとろうとするが、また、人が相手をしなくても自分自身でもよく遊ぶ。特に、犬や猫等の動物は、子供の時期には、よく遊ぶため、人間が常に相手をして遊ぶことが出来ない場合には、動物自身で遊ばせることは動物自身の精神の安定、成長にも必要であり、動物と上手に付き合っていくうえでも重要な事柄である。【０００３】そこで従来から猫用の玩具として市販されている商品がある。例えば、短い釣竿状の棒の先に付けられた紐に羽状の玩具を取り付けたものや、棒の先に細いリボン状のものが幾本も取り付けられた玩具、小さな魚（５センチ程度）などを模した綿ブロードなどの素材を使用したぬいぐるみ状のものの中にマタタビ粉など猫が喜ぶ香草等を仕込んだ玩具などである。
【考案の開示】
【考案が解決しようとする課題】
【０００４】しかしながら上記のような従来品は、前述の二例については、人間がある程度相手をする必要があったり、三例目については形状が小さく素材も猫の爪には滑り易い素材で作られているなどの為に猫が長期間保持し、遊び続けるには適していない形状であったりしており、動物自ら単独での戯れ性をそそる上で尚改良の必要があった。【０００５】すなわち上記猫用玩具は、いずれも猫自身に単独で遊び続けさせるには、不十分な構成であった。【０００６】また、上記二例の，猫用玩具には、紐や棒を振る行為などある程度人間が相手をしてあげる必要があり、人間が相手をしないと短時間のうちに興味を失って、動物自身で遊ばなくなるという問題があった。【０００７】そこで、請求項１記載の考案は、柔らかい布素材を用いる事により、猫が簡単に爪で引っ掛けて単独にて長い間保持し遊ぶことが出来る動物用玩具を提供することを目的としている。【０００８】請求項２記載の考案は、戯れ対象部分に刺繍糸にてステッチを施すことにより、動物がくわえたり掴んだり等の戯れ行為の際に、より行為がしやすく保持に適した形状に加工が加えられる事により、戯れ行動意欲をより一層増大させて、動物自身での長時間にわたる戯れをより一層誘い、動物自身での遊びを可能とし、動物の運動不足や精神的な欲求不満をより一層軽減する効果が期待できる動物用玩具を提供することを目的としている。【０００９】請求項３記載の考案は、本体は全体の形状として猫の顔かたちを模したものとなっているが、その口の部分にあたる辺りに、猫の前足が入るのに丁度良い大きさの空間を開ける事により、猫が前足だけを使ってしっかりと本体を保持する事が出来るため自分の気に入った姿勢、気に入った場所での長時間の戯れが可能となる。動物自身での遊びを可能とし、動物の運動不足をより一層軽減する効果が期待できる動物用玩具を提供することを目的としている。【００１０】請求項４記載の考案は、前述した口の空間の部分に鈴を取り付けているもので、猫に対し聴覚的に刺激を与え戯れへの意欲を期待するものであり、更に中綿には猫の好む香草（例えばキャットニップ）も混ぜられており、嗅覚・視覚・聴覚などのいろいろな刺激を猫が楽しみ、長時間飽きさせないことを目的としている。
【課題を解決するための手段】
【００１１】上記の課題を解決するための請求項１の考案に係る猫用玩具は、柔らかい素材にて作成されており、爪を布地に引っ掛けるだけで猫が簡単に玩具を保持することが出来ることを特徴とする。
請求項２の考案は、請求項１に記載のものにおいて、更に保持がしやすいように表面をステッチにて加工を施して特徴を高めたものとする。
請求項３の考案は、請求項１または２に記載のものにおいて、遊具の形状が特長的なものとなっており、口の部分の空間は猫が前足を入れ易い形となっており、更にしっかりとした保持を可能とする特徴を示している。
請求項４の考案は、請求項１から３のいずれかに記載のものにおいて、口の空間の部分には鈴を付け、中綿には猫の好む香草（例えばキャットニップ）を混ぜており、猫が聴覚・嗅覚からも楽しみ好むものにしているという事を特徴とする。
【考案の効果】
【００１２】請求項１記載の考案の猫用玩具によれば、素材に柔らかい布を使用した事により、爪の引っ掛かりが良くなり、猫が簡単に保持する事が可能となり、猫の戯れ対象部材への戯れ行動意欲を増大させることができ、猫自身での長時間にわたる戯れを誘って、動物自身での遊びを可能として、動物の運動不足を軽減する効果が期待できる。【００１３】請求項２記載の考案の猫用玩具によれば、戯れ対象部材を、動物がくわえたり掴んだり等の捕獲行為を更に簡単に可能にするステッチ加工を施したことにより、適した形状に形成された捕獲部分を有するものとしているので、動物の戯れ対象部材への戯れ行動意欲をより一層増大させることができ、動物自身での長時間にわたる戯れをより一層誘って、動物自身での遊びを可能とし、動物の運動不足をより一層軽減する効果が期待できる。【００１４】請求項３記載の考案の猫用玩具によれば、口の部分に空間を開けて、遊ぶ際に猫が手を入れる事によってしっかり保持出来る効果が得られる為、常に動物の戯れ行動誘って、動物自身での遊びを可能とし、動物の運動不足をより一層軽減する効果が期待できる。【００１５】請求項４記載の考案の猫用玩具によれば、空間の部分には鈴が縫い付けられており、動かす度に聴覚を刺激し、更に中綿には猫が喜ぶとされる香草が混ぜられている為、嗅覚を刺激するので、猫は常に刺激を感じ長期にわたり飽きずに遊び続けることが期待出来る。
【考案を実施するための最良の形態】
【００１６】以下、本考案の好適な実施の形態を添付図面に基づいて詳細に説明する。なお、以下に述べる実施の形態は、本考案の好適な実施の形態であるから、技術的に好ましい種々の限定が付されているが、本考案の範囲は、以下の説明において特に本考案を限定する旨の記載がない限り、これらの態様に限られるものではない。【００１７】図１〜図３は、本考案の動物用玩具の一実施の形態を示す図であり、本実施の形態は、猫用の玩具に適用したものである【００１８】図１において、猫用玩具１は、柔軟性のある全体素材１、爪の引っかかり易い糸部２、聴覚的刺激を促す鈴３を備えており、鈴が付いている空間の部分に猫が前足で本体を保持しようとする際、前足を入れる事により保持がしやすい作りとなっている。【００１９】図２に確認出来るように、裏側には刺繍糸でのクロスステッチが施されており、猫が爪を引っ掛けて持ち上げる、または遊ぶ行為を更に助長する作用となっている。
【図面の簡単な説明】
【図１】本考案の猫用玩具の一実施の形態を適用した猫用玩具の正面図。
【図２】本考案の猫用玩具の一実施の形態を適用した猫用玩具の背面図。（ステッチが施されており、保持しやすい。）
【図３】本考案の猫用玩具の一実施の形態を適用した猫用玩具の側面図。
【符号の説明】
【００２０】１  柔軟部材
２  ステッチ部分
３  口の空間
４  鈴
【手続補正書】
【提出日】平成20年8月13日(2008.8.13)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
柔らかい布素材で作成されており、爪に引っ掛かりやすく、猫が簡単に単独にて保持し遊ぶことが出来る猫用玩具。
【請求項２】
表面は柔らかい素材の布に刺繍糸によってステッチが施されており、猫が自ら爪をかけて保持しやすく、猫が単独で持ち運び舐めたり引掻いたりして遊ぶ事が出来る猫用玩具。
【請求項３】
形状は猫の顔かたちを模しており、その口の部分には空間を開けて、猫が遊ぶ際に前足を入れてしっかりと保持する事が可能で、単独で自分の好む姿勢や場所で長時間遊ぶ事が可能となる形を特長とする猫用玩具。
【請求項４】
口として開けられた空間の部分には、鈴が縫い付けられており動かすごとに聴覚を刺激し猫の戯れ性をそそるようにされており、更に本体内部には猫が好む香草を含んだ綿が詰められており嗅覚からの刺激もあり、猫の興味を長期間にわたり持続的にひくようにしたことを特長とする請求項３に記載の猫用玩具。
【手続補正２】
【補正対象書類名】手続補正書
【補正対象項目名】手続補正２
【補正方法】削除
【補正の内容】
【手続補正３】
【補正対象書類名】手続補正書
【補正対象項目名】手続補正３
【補正方法】削除
【補正の内容】
【手続補正４】
【補正対象書類名】手続補正書
【補正対象項目名】手続補正４
【補正方法】削除
【補正の内容】